(57)【要約】【課題】本発明はＤＭＢ放送情報及びＧＰＳを通じて位置情報を受信し、柔軟で透明度の調整が可能な表示画面を提供する表示部を含んだ自動車用ディスプレー装置及びこれを用いたディスプレー方法に関し、表示画面は、柔軟で自動車構造に制限されない特性を有するため、自動車に装着して多様な位置及び多様な大きさに設置してディスプレーすることができるとともに自動車の空間が確保される效果がある。また、表示画面は透明度が調整されることを特徴とするため、運転視野範囲内に設置して效果的に情報を獲得することができ、使用者の指定及び環境変化に応じて表示画面を透明に切り替えることによって運転手の視野を確保して安全運転を保障する效果がある。また、表示部をミラクルガラスと投影機で構成して装着することによって、所望の領域に選択的に投射して運転手の運転視野確保及び同乗者に所望の方向で情報を獲得することができる便宜を提供する效果がある。【選択図】図３
2010532287.tif 000002
【特許請求の範囲】
【請求項１】
自動車用ディスプレー装置において、
ＤＭＢ放送信号を受信するＤＭＢ受信部と、
現在の位置情報を受信するＧＰＳ受信部と、
マルチメディア情報の保存と再生を管理するマルチメディア管理部と、
自動車の動作及び周辺環境を感知するセンサー部と、
使用者の入力を処理する使用者インターフェースと、
曲面部に設置することができるように、柔軟で、透明度の調整が可能な表示画面を提供する表示部と、
上記ＤＭＢ及びＧＰＳ受信部を通じて受信された情報と上記マルチメディア管理部に保存された情報に基づいて表示内容を生成して、これを上記表示画面に出力し、上記センサー部または上記使用者インターフェースによる入力に基づいて、上記表示画面の透明度を制御する制御部とを含むことを特徴とする自動車用ディスプレー装置。
【請求項２】
上記表示画面は自動車内に少なくとも一つ設置されることを特徴とする請求項１記載の自動車用ディスプレー装置。
【請求項３】
上記表示画面が複数である場合、上記使用者インターフェースによる入力に基づいて指定された表示画面に、指定された情報を表示することを特徴とする請求項１記載の自動車用ディスプレー装置。
【請求項４】
上記表示画面は、表示内容がない場合、透明で、表示内容がある場合、その表示領域は半透明にし、上記表示領域以外は透明にすることを特徴とする請求項１記載の自動車用ディスプレー装置。
【請求項５】
上記表示部は平板表示装置であることを特徴とする請求項４記載の自動車用ディスプレー装置。
【請求項６】
上記平板表示装置は、液晶表示装置（Ｌｉｑｕｉｄ  Ｃｒｙｓｔａｌ  Ｄｉｓｐｌａｙ）、有機電気発光表示装置（Ｏｒｇａｎｉｃ  Ｅｌｅｃｔｒｏ  Ｌｕｍｉｎｅｓｃｅｎｃｅ  Ｄｉｓｐｌａｙ）、プラズマ表示装置（Ｐｌａｓｍａ  Ｄｉｓｐｌａｙ  Ｐａｎｅｌ）の中から選ばれた一つであることを特徴とする請求項５記載の自動車用ディスプレー装置。
【請求項７】
上記表示部が液晶表示装置である場合、上記液晶表示装置に光を照射する補助照明をさらに含むことを特徴とする請求項６記載の自動車用ディスプレー装置。
【請求項８】
上記センサー部は、外部からの光を感知する第１センサーを含み、上記制御部は、第１センサーの感知結果に基づいて上記補助照明の輝度を調整することを特徴とする請求項７記載の自動車用ディスプレー装置。
【請求項９】
上記使用者インターフェースは、上記表示画面に設けられたタッチスクリーンであることを特徴とする請求項１記載の自動車用ディスプレー装置。
【請求項１０】
上記表示部は、
上記表示画面を構成するミラクルガラスと、上記表示内容を上記ミラクルガラスに投射する投影機とを含むことを特徴とする請求項１記載の自動車用ディスプレー装置。
【請求項１１】
上記投影機は、自動車の天井に装着されることを特徴とする請求項１０記載の自動車用ディスプレー装置。
【請求項１２】
上記センサー部は、上記自動車の動作を感知する第２センサーを含むことを特徴とする請求項１記載の自動車用ディスプレー装置。
【請求項１３】
上記センサー部は、周辺環境を感知する第３センサーを含むことを特徴とする請求項１記載の自動車用ディスプレー装置。
【請求項１４】
上記センサー部は、自動車情報を感知する第４センサーを含み、上記制御部は上記自動車情報を上記表示画面に表示することを特徴とする請求項１記載の自動車用ディスプレー装置。
【請求項１５】
上記センサー部は監視カメラを含み、上記制御部は上記監視カメラの映像を上記表示画面に出力することを特徴とする請求項１記載の自動車用ディスプレー装置。
【請求項１６】
上記制御部は、上記使用者インターフェースによる入力に基づいて、上記センサー部の感知正確度を調整することを特徴とする請求項１記載の自動車用ディスプレー装置。
【請求項１７】
上記自動車用ディスプレー装置は、外部通信モジュールによってインターネット網に接続することができることを特徴とする請求項１記載の自動車用ディスプレー装置。
【請求項１８】
透明度の調整が可能な表示画面を備えた自動車用ディスプレー装置を用いたディスプレー方法において、
（ａ）ＤＭＢ受信情報、ＧＰＳ受信情報またはマルチメディア再生情報の中、少なくとも一つを上記表示画面に表示する段階と、
（ｂ）上記各情報の表示を中止して、上記表示画面を透明に切り替える段階とを含むディスプレー方法。
【請求項１９】
上記（ａ）段階は、上記表示画面が複数である場合、上記各情報を上記複数の表示画面に同一に表示したり、少なくとも一つの表示画面に異なるように表示する段階を含むことを特徴とする請求項１８記載のディスプレー方法。
【請求項２０】
上記（ａ）段階は、上記表示画面に補助照明による光を供給する段階をさらに含むことを特徴とする請求項１８記載のディスプレー方法。
【発明の詳細な説明】
【技術分野】
【０００１】
本発明は、柔軟で、透明度の調整が可能な表示画面を提供する表示部を備えた自動車用ディスプレー装置及びこれを用いたディスプレー方法に関する。
【背景技術】
【０００２】
従来、移動する自動車内で情報を獲得することができる方法は、自動車のセンターフェーシアパネル（ｃｅｎｔｅｒｆａｃｉａ  ｐａｎｅｌ）にラジオ受信機や自動車用ＴＶ受信機を装着して、空中波及び地上波放送を聴取したり、視聴したりしていた。このような受信機は、単に放送受信を目的としたため、使用者が選択することができる範囲も放送受信に限定されていた。
【０００３】
その後、情報技術の発達に伴って、移動通信技術と位置追跡技術を自動車に応用して多様な応用サービスを自動車運転手に提供するテレマティクス（Ｔｅｌｅｍａｔｉｃｓ）技術が開発されるようになった。
【０００４】
テレマティクスとは、通信技術（ｔｅｌｅｃｏｍｍｕｎｉｃａｔｉｏｎ）と情報科学（ｉｎｆｏｒｍａｔｉｃｓ）を組み合わせた造語で、自動車を基盤に移動通信、インターネット、ナビゲーション機能などを支援する自動車遠隔情報サービスを称える。
【０００５】
デジタル放送開国と携帯端末の機能が拡大するに従って、移動する自動車内でＤＭＢ（Ｄｉｇｉｔａｌ  Ｍｕｌｔｉｍｅｄｉａ  Ｂｒｏａｄｃａｓｔｉｎｇ）を視聴したり、ＧＰＳ（Ｇｌｏｂａｌ  Ｐｏｓｉｔｉｏｎｉｎｇ  Ｓｙｓｔｅｍ）を利用したナビゲーションシステムを通じて位置情報を探索するための装置の開発が多様に行われている。
【０００６】
今までテレマティクスシステムは、別途の装置で提供されるより、通常の携帯用端末装置、例えば、ＰＤＡ（Ｐｅｒｓｏｎａｌ  Ｄｉｇｉｔａｌ  Ａｓｓｉｓｔａｎｔ）、携帯電話、ナビゲーション端末装置を利用しており、その表示内容は、上記端末装置に設けられたディスプレーパネルを通じて表示される。
【０００７】
図１は、ＤＭＢ、ＧＰＳ及びマルチメディア情報を提供する端末装置の構成を示した図である。
【０００８】
上記図１を参照すれば、上記装置は、ＤＭＢ信号を受信するＤＭＢ受信部５１、位置情報を受信するＧＰＳ受信部５３、各種マルチメディアデータを保存して再生するマルチメディア管理部５５、ディスプレーパネルを含む表示部５６、使用者の入力を処理する使用者インターフェース５４、上記ＤＭＢ及びＧＰＳ受信部と管理部を制御して、該当内容を表示部５６に出力する制御部５２で構成されている。
【０００９】
また、必要であれば、ＰＤＡ、携帯電話機能のための別途の追加要素を備えることができる。
【００１０】
上記各ＤＭＢ及びＧＰＳ受信部５１、５３とマルチメディア管理部５５のＤＭＢ及びＧＰＳとマルチメディア情報は、上記制御部５２によって適切に処理されて、該当端末装置に備えられた表示部５６のディスプレーパネルに表示される。
【００１１】
しかし、上記一般的な端末装置を利用する場合、使用者に表示されるＤＭＢ及びＧＰＳ受信情報と、マルチメディア再生情報を表示する表示画面は、携帯用端末装置のディスプレーパネルに制限される。
【００１２】
一方、上記端末装置は、普通自動車の計器盤またはインストルメントパネル（Ｉｎｓｔｒｕｍｅｎｔ  Ｐａｎｅｌ）に附着されるが、センターフェーシアパネルに装着される。これによって、使用者が上記端末装置の表示内容を見るためには、運転中に視野を切り替えたり、上記端末装置と自動車のバックミラー、ステアリングホイールなどによって運転視野が充分に確保されないという問題点がある。
【００１３】
図２は、上記端末装置の設置位置を示した図である。上記図２を参照すれば、上記端末装置１０、２０は、普通自動車の内部に設置されて、位置情報や多様なマルチメディア情報を提供する。設置位置は、一般的に計器盤またはセンターフェーシアパネルやインストルメントパネルに設置することが普通である。
【００１４】
この時、上記端末装置１０、２０は、運転手の運転視野に影響を与えないながら、所望の情報が見られるように設置されることが好ましい。
【００１５】
しかし、センターフェーシアパネルに設置する場合（図面符号２０を参照）、空間を容易に確保することができるが、運転中に運転手の視野を脱するので、画面を見るために視野を切り替えなければならないため、これによる危険が伴う。
【００１６】
また、インストルメントパネルに設置する場合（図面符号１０を参照）、容易に視聴することができるが、ステアリングホイール３０、バックミラー４０などに上記端末装置２０が設けられて運転手の視野を狭くする問題点がある。
【００１７】
最近、無線通信技術の発達に伴って、テレマティクスシステムは漸次に自動車の一部として変わっている。
【００１８】
しかし、上記で説明したように、テレマティクスシステムを一般的な携帯用端末装置に取り付けた場合、各種情報を表示する表示画面は上記端末装置のディスプレーパネルに限定され、その装着位置によって運転手の視野を切り替えて、安全運転を妨害したり、運転手の視野を狭くする問題点を発生しており、これを解決するための效果的なディスプレー手段の開発が必要になってきた。
【発明の概要】
【発明が解決しようとする課題】
【００１９】
従って、本発明は、ＤＭＢ及びＧＰＳ受信情報と、マルチメディア再生情報を效果的に表示することができる自動車用ディスプレー装置及びディスプレー方法を提供することにその目的がある。
【００２０】
具体的に、本発明は、前面窓ガラスを含めた自動車の内部の所望の位置に装着することができ、運転中、視野を妨害しないように、柔軟で、透明度の調整が可能な表示画面を提供する自動車用ディスプレー装置を実現して、これによって、大画面を具現しながらも運転視野に影響を与えないとともに、各種情報を容易に得ることができる自動車用ディスプレー装置及びこれを用いたディスプレー方法を提供する。
【課題を解決するための手段】
【００２１】
上記目的を達するために、本発明は、自動車用ディスプレー装置において、ＤＭＢ放送信号を受信するＤＭＢ受信部と、現在の位置情報を受信するＧＰＳ受信部と、マルチメディア情報の保存と再生を管理するマルチメディア管理部と、自動車の動作及び周辺環境を感知するセンサー部と、使用者の入力を処理する使用者インターフェースと、曲面部に設置することができるように、柔軟で、透明度の調整が可能な表示画面を提供する表示部と、上記ＤＭＢ及びＧＰＳ受信部によって受信された情報と上記マルチメディア管理部に保存された情報に基づいて表示内容を生成して、これを上記表示画面に出力し、上記センサー部または上記使用者インターフェースによる入力に基づいて、上記表示画面の透明度を制御する制御部とを含むことを特徴とする。
【００２２】
この時、上記表示画面は、自動車内に少なくとも一つ設置されることを特徴とし、上記表示画面は、表示内容がない場合、透明で、表示内容がある場合、その表示領域は半透明にし、上記表示領域以外は透明にすることを特徴とする。また、上記使用者インターフェースは、上記表示画面に設けられたタッチスクリーンであることを特徴とする。
【００２３】
また、上記表示部は平板表示装置であることを特徴とし、上記平板表示装置は、液晶表示装置、有機電気発光表示装置、プラズマ表示装置などを用いることができる。
【００２４】
この時、上記表示部が液晶表示装置である場合、上記液晶表示装置に光を照射する補助照明をさらに含むことができる。
【００２５】
また、上記センサー部は外部からの光を感知する第１センサーを含み、上記制御部は第１センサーの感知結果に基づいて上記補助照明の輝度を調整することができる。
【００２６】
他に、上記表示部は、上記表示画面を構成するミラクルガラスと、上記表示内容を上記ミラクルガラスに投射する投影機を含むことを特徴とする。
【００２７】
この場合、上記投影機は自動車の天井に装着されて、上記ミラクルガラスが配置された方向へ投射するようにすることができる。
【００２８】
上記センサー部は、上記自動車の動作を感知する第２センサーを含むことができ、自動車の急発進、急制動、ステアリングホイールの回転角を感知することを特徴とする。
【００２９】
また、上記センサー部は周辺環境を感知する第３センサーを含むことを特徴とし、自動車内外部の中の一側面に装着されて障害物を感知したり、後進する場合、後方を感知したりすることを特徴とする。
【００３０】
その他、上記センサー部は、自動車部品に附着されて、自動車の情報を感知する第４センサーを含み、上記自動車情報を上記表示画面に表示することを特徴とする。
【００３１】
また、上記センサー部は監視カメラを含むことができ、上記制御部は、上記監視カメラの映像を上記表示画面に出力するようにすることができる。
【００３２】
また、上記制御部は、上記使用者インターフェースによる入力に基づいて、上記センサー部の感知正確度を調整することもできる。
【００３３】
また、上記自動車用ディスプレー装置は、外部無線通信モジュールに接続されるポートを備えることによって、携帯電話、ＰＤＡ、ノート・パンコンなどの移動通信端末を通じてインターネットに接続して各種情報を受信することができる。
【００３４】
これによって、上記ＧＰＳ受信部を通じて受信された情報を容易に認識することができるように、地図をダウンロードした後、上記表示部にマッピングしたり、自動車の状態情報を持続的に送信して、自動車の遠隔診断サービス及び事故が発生した場合、適切な措置を受けることもできる。
【００３５】
また、上記自動車用ディスプレー装置は、複数の出力ポートを備えて、上記した表示画面以外に追加的に表示画面を備えることができ、これらを自動車の所望の位置に装着することによって情報を獲得することができる。
【００３６】
例えば、自動車の後部座席にある同乗者は運転席及び助手席シートや運転席と助手席との間に配置されているコンソールボックスに表示画面をさらに設置して、自動車に乗っている各使用者に便宜を提供するようにすることもできる。
【００３７】
さらに、上記表示部を構成する表示画面が複数の空間に配置されている場合、上記制御部が各受信部または再生管理部が獲得した情報を、使用者インターフェースによる入力に基づいて、所望の位置の単一または複数の表示画面に同時に出力させることができ、複数の表示画面に異なる情報を出力させることもできる。
【００３８】
これによって、自動車に乗っている使用者は、自分に必要な情報を取得することができる。
【００３９】
上記目的を達するための本発明のディスプレー方法は、透明度の調整が可能な表示画面を備えた自動車用ディスプレー装置を用いたディスプレー方法において、ＤＭＢ受信情報、ＧＰＳ受信情報またはマルチメディア再生情報の中少なくとも一つを上記表示画面に表示する段階と、上記各情報の表示を中止して、上記表示画面を透明に切り替える段階とを含むことを特徴とする。
【００４０】
この時、上記表示画面に表示する段階で、上記表示画面が複数である場合、上記各情報を上記複数の表示画面に同一に表示したり、少なくとも一つの表示画面に異なるように表示する段階を含むことができる。
【００４１】
また、上記表示画面に表示する段階は、上記表示画面に補助照明による光を供給する段階をさらに含むこともできる。
【発明の効果】
【００４２】
本発明による自動車用ディスプレー装置は、ＤＭＢ放送情報、ＧＰＳによる位置情報及び各種マルチメディア情報を提供し、柔軟で、自動車の構造に制限されることなく、設置することができる表示画面を提供する表示部を含み、これは多様な位置及び多様な大きさに設置することができるとともに、自動車の空間が確保される效果がある。
【００４３】
また、上記表示部を構成する表示画面は、透明度が調整されることを特徴とするため、運転視野範囲内に設置しても、效果的に上記情報を獲得することができ、使用者の指定及び環境変化に応じて、上記表示画面を透明に転換させることによって、運転手の視野を確保して安全運転を保障する效果がある。
【００４４】
また、上記表示部をミラクルガラスと投影機とで構成することによって、所望の領域に選択的に投射して運転手の運転視野確保及び同乗者に所望の方向で上記情報を獲得することができるという便宜を提供する效果がある。
【図面の簡単な説明】
【００４５】
【図１】一般的なディスプレー端末の設置位置を示した図である。
【図２】ＤＭＢ、ＧＰＳ及びマルチメディア情報を提供する端末の構成を示した図である。
【図３】本発明による自動車用ディスプレー装置の構成を示した図である。
【図４】本発明による上記自動車用ディスプレー装置が自動車に装着された状態を示した図である。
【図５】本発明による自動車用ディスプレー装置の表示部に含まれた表示画面の他の設置形態を示した図である。
【図６】本発明の実施例による表示部の動作状態を示した図である。
【図７】本発明によるミラクルガラスと投影機で構成された表示部を示した図である。
【図８】本発明による上記ミラクルガラスの特徴を示した図である。
【図９】本発明による自動車用ディスプレー装置のディスプレー方法に対する流れ図である。
【発明を実施するための形態】
【００４６】
以下、図を参照して本発明の好ましい実施例を詳しく説明する。
以下では、本発明を説明するにあたって、関連する公知機能または構成に対する具体的な説明が本発明の要旨を不必要に曖昧にすることができると判断される場合には、その詳細な説明を省略する。
【００４７】
図３は、本発明による自動車用ディスプレー装置の構成を示した図である。
【００４８】
上記図３を参照すれば、本発明による自動車用ディスプレー装置は、ＤＭＢ放送信号を受信するＤＭＢ受信部３１０と、現在の位置情報を受信するＧＰＳ受信部３３０と、マルチメディア情報の保存と再生を管理するマルチメディア管理部３５０と、自動車の動作及び周辺環境を感知するセンサー部３７０と、使用者の入力を処理する使用者インターフェース３４０と、曲面部に設置することができるように、柔軟で、透明度の調整が可能な表示画面を提供する表示部３６０と、上記ＤＭＢ及びＧＰＳ受信部３１０、３３０を通じて受信された情報と上記マルチメディア管理部３５０に保存された情報に基づいて表示内容を生成して、これを上記表示画面に出力し、上記センサー部３７０または上記使用者インターフェース３４０による入力に基づいて、上記表示画面の透明度を制御する制御部３２０とを含む。
【００４９】
それぞれをさらに具体的に説明する。
【００５０】
まず、ＤＭＢ受信部３１０とＧＰＳ受信部３３０は、一般的な技術内容に基づくことができ、該当信号を受信するためのアンテナを含むことができる。
【００５１】
上記アンテナを通じて、ＤＭＢ受信部３１０は、各チャンネル別ＤＭＢ放送サービス信号を受信復原して、選局されたチャンネルに対する放送情報を出力し、ＧＰＳ受信部３３０は、移動通信基地局と連動されて、現在自動車の緯度及び経度データを受信して自動車の現在位置情報を出力する。
【００５２】
上記ＤＭＢ受信部３１０の受信情報は、上記使用者インターフェース３４０による使用者の入力によってチャンネルを選択することができることを特徴とする。
【００５３】
また、マルチメディア管理部３５０には、各種マルチメディア情報を保存するためのロム（Ｒｅａｄ  Ｏｎｌｙ  Ｍｅｍｏｒｙ）、ラム（Ｒａｎｄｏｍ  Ａｃｃｅｓｓ  Ｍｅｍｏｒｙ）、ハードディスクなどの保存装置などが含まれることができ、上記保存装置に上記ＤＭＢ受信部３１０のチャンネル情報及び放送受信情報の保存とＧＰＳ受信部３３０の地図ＤＢ（Ｄａｔａ  Ｂａｓｅ）を内蔵することができる。
【００５４】
また、外部媒体と接続するためのＵＳＢポートを備えて、上記外部媒体からマルチメディア情報を獲得して保存することも可能である。
【００５５】
また、使用者インターフェース３４０は、使用者の入力を獲得して出力する部分であり、複数のボタンやダイヤルなどが使われることができ、必要に応じて、後述する表示部３６０にタッチスクリーンセンサーで構成されることができる。
【００５６】
したがって、ＤＭＢ受信情報、ＧＰＳ受信情報またはマルチメディア再生情報は、使用者インターフェース３４０による使用者入力情報に基づいて、上記制御部３２０によって処理されて、上記表示部３６０に表示されることができる。
【００５７】
さらに、上記使用者インターフェース３４０は、使用者の便宜による上記センサー部３７０の感度を調整することによって、使用者自身に適当な表示部３６０の動作を設定することも可能である。
【００５８】
また、上記表示部３６０は  ＤＭＢ受信情報及びＧＰＳ受信情報とマルチメディアの再生情報を使用者に表示する部分で、特に本発明による自動車用ディスプレー装置の表示部３６０は、曲面部に設置することができるように、柔軟で、透明度の調整が可能な表示画面を提供することを特徴としており、このために、ＬＣＤ、有機ＥＬＤまたはＰＤＰなどの平板表示装置またはミラクルガラス及び投影機が用いられる。
【００５９】
これらについては、該当する部分で詳しく説明する。
【００６０】
また、制御部３２０は、上記使用者インターフェース３４０または上記センサー部３７０の入力に基づいて、上記表示部３６０の動作を制御したり、上記ＤＭＢ受信部３１０とＧＰＳ受信部３３０及びマルチメディア管理部３５０が提供する情報を信号処理して、表示部３６０に出力するなど、上記自動車のディスプレー装置の全般的な動作を制御する部分で、所定のアルゴリズムが内蔵したマイコン（Ｍｉｃｏｍ）などの論理演算装置が用いられることができる。
【００６１】
さらに、上記制御部３２０は、上記使用者インターフェース３４０による入力に基づいて上記センサー部３７０のセンシング感度を設定することができる。
【００６２】
言い換えれば、使用者は自分の嗜好に応じて、上記センサー部３７０の感度を適切に調整することによって、上記制御部３２０が上記表示部３６０を制御して表示させるようにすることができる。
【００６３】
最後に、上記センサー部３７０は、自動車の動作及び周辺環境を感知して、その感知結果を制御部３２０に伝達する部分で、安全運転に役に立てることができる自動車の内外部の各種情報を蝕合することになる。
【００６４】
このためのセンサー部３７０は、互いに異なる役割をする第１〜第４センサー３７２、３７４、３７６、３７８を含むことができる。
【００６５】
上記第１センサー３７２は、上記表示部３６０が平板表示装置であり、特にＬＣＤの場合使用可能であり、外部からの光を感知するための受光センサーを用いることができる。
【００６６】
上記第１センサー３７２は、外部からの光を感知して、感知情報を上記制御部３２０に伝達し、上記制御部３２０は、これに基づいて上記表示部３６０がＬＣＤの場合、表示内容を鮮明にするために、上記表示部３６０に装着された背面光で補助照明のオン／オフ（ＯＮ／ＯＦＦ）を判断する。
【００６７】
また、第２センサー３７４は、自動車の動作を感知する部分で、自動車の速度とステアリングホイールの回転角などを感知することができる。
【００６８】
これによって上記制御部３２０は、上記第２センサー３７４の感知情報に基づいて、自動車の急制動や急発進状況及びハンドルの回転角の差による急カーブ状況を判断して、上記表示部３６０を構成する表示画面の透明度を調整する。
【００６９】
また、第３センサー３７６は、自動車の周辺環境を感知する部分で、一例として、障害物を発見したり、後進する時発見される後方の事物を感知して、当該感知情報を上記制御部３２０に伝達することができ、上記制御部３２０は、上記センサー部３７０の感知情報に基づいて、上記表示部３６０を構成する表示画面の透明度を調整する。
【００７０】
この時、必要であれば、第３センサー３７６は、自動車に附着されるカメラを含むことができ、この場合、カメラによって捕捉される画面情報を上記制御部３２０に伝達して、上記制御部３２０が上記監視カメラの映像を上記表示部３６０に表示させるようにすることができる。
【００７１】
また、第４センサー３７８は、自動車の情報を感知する部分で、自動車の必要部分、例えばエンジン、燃料タンクまたはタイヤなどに附着されて、速度、燃料量、エンジンオイル、走行距離などの情報を上記制御部３２０に伝達することができる。
【００７２】
これによって、上記制御部３２０は、上記情報を表示部３６０に表示されるようにすることができる。
【００７３】
以下、本発明による自動車用ディスプレー装置の最も特徴的な部分として、表示部３６０の具体的な内容は図３を参照して説明する。
【００７４】
まず、表示部３６０は、平板表示装置またはミラクルガラス及び投影機で構成されることができ、そのうち、図４〜図６に平板表示装置の場合を示している。
【００７５】
図４は、本発明による上記自動車用ディスプレー装置が自動車に装着された状態を示した図である。
【００７６】
上記図４を参照すれば、上記表示画面に構成されることができる平板表示装置３６１は、自動車のガラス１１０の前面の一部または全体を占めて設置され、上記センサー部３７０及び上記使用者インターフェース３４０による入力に基づいて透明度が調整されることができる。
【００７７】
上記した内容を詳しく説明すると、上記平板表示装置３６１は、使用者の情報の獲得を容易にさせるために、ステアリングホイール１００の上側に位置する運転手側の前面ガラス１１０、言い換えれば運転視野の範囲内に位置させることができる。
【００７８】
また、ディスプレー中である場合、表示内容のある領域は半透明を保持し、表示内容のない領域は、透明を保持して、外物を部分的に確認することができ、ディスプレーしない場合、上記平板表示装置３６１は、透明を維持して上記平板表示装置３６１による運転手視野の減少を最小化する。
【００７９】
また、歩行者２００のような障害物が現われた場合、第３センサー３７６がこれに反応して生成された感知情報を制御部３２０に伝達し、上記制御部３２０はこれに基づいて上記平板表示装置３６１の表示動作を中止させ、上記表示部３６０に含まれた平板表示装置３６１を透明に切り替える。
【００８０】
また、上記装置を構成する使用者インターフェース３４０によって使用者の指示を受け入れて、これに基づいて上記制御部３２０が表示内容の出力可否を決め、上記平板表示装置３６１の透明または半透明状態を調整することもできる。
【００８１】
また、上記平板表示装置３６１がＬＣＤ（Ｌｉｑｕｉｄ  Ｃｒｙｓｔａｌ  Ｄｉｓｐｌａｙ）で構成される場合、上記表示部３６０は上記平板表示装置３６１に表示される内容を鮮明に出力するために補助照明１２０を含むことができる。
【００８２】
上記ＬＣＤは外部からの光が足りない場合、表示内容を認識しにくいという問題があり、上記補助照明１２０を通じて鮮明度を確保する。
【００８３】
また、上記補助照明１２０は外部光量の変化によるセンサー部３７０の感知情報によって上記制御部３２０がオン／オフさせることが可能である。
【００８４】
上記補助照明１２０の詳しい動作を説明すると、上記制御部３２０は、上記第１センサー３７２の感知情報に基づいて、外部からの光が十分であると判断した場合、上記補助照明１２０をオフさせる。
【００８５】
また、上記制御部３２０は、上記第３センサー３７６が歩行者２００などの障害物を感知した場合、その感知情報を上記制御部３２０に伝達して、上記補助照明１２０がオンの状態である場合、これをオフ（ＯＦＦ）させ、平板表示装置３６１全体を透明に切り替えて運転視野を確保する。
【００８６】
上記補助照明１２０は、使用者インターフェース３４０による入力情報に基づいて、上記制御部３２０によって、オン／オフ（ＯＮ／ＯＦＦ）になることができることは勿論である。
【００８７】
図５は、本発明による自動車用ディスプレー装置の表示部３６０を構成する平板表示装置３６１のその他の設置形態を示した図である。
【００８８】
図３を参照して説明する。
【００８９】
上記図５を参照すれば、上記平板表示装置３６１は、使用者の嗜好によって多様に設置することができ、特に自動車の前面、側面または後面ガラスのうち一部または全部及び計器盤の一部などに設置することができる。
【００９０】
また、自動車のサンルーフに上記平板表示装置３６１を取り付けて、運転手や同乗者がシートを平行にして横になった状態で視聴する環境を造成することも可能である。
【００９１】
その他、別途のディスプレーを運転席、助手席またはコンソールボックスに上記平板表示装置３６１とともに配置することによって、後部座席の使用者が情報を獲得しやすい位置に上記表示部３６０を構成することもできる。
【００９２】
また、上記制御部３２０が上記表示部３６０を制御して、複数の画面にそれぞれ異なる情報をディスプレーすることによって、各運転手及び同乗者が所望の情報を獲得することができるように構成することができる。
【００９３】
図６は、本発明の実施例よる平板表示装置の動作状態を示した図である。
【００９４】
図３を参照して説明する。
【００９５】
上記図６を参照すれば、上記表示部３６０を構成する平板表示装置３６１は、プラスチック又はその他柔軟性のある一対の基板の間に液晶、ＯＬＥＤ、プラズマ発光素子などの偏光または蛍光物質と、これらを制御するためのＴＦＴ及びその他の電気素子を介在した形態でもよく、その種類としては、透明性を有するＬＣＤ、有機ＥＬＤまたはＰＤＰなどでもよい。
【００９６】
上記平板表示装置３６１の動作状態を説明すると、（ａ）ディスプレーしない場合、透明に保持されて３６１外物２１０が見られ、（ｂ）ディスプレーする場合、表示内容は半透明に表示され３６１、それ以外の部分は透明に表示されて、部分的に外物２１０が見られる。
【００９７】
一方、上記表示部３６０は、上記したように、平板表示装置３６１で構成して、直接表示内容を出力する構成だけではなく、柔軟で、透明性を提供するミラクルガラスと上記ミラクルガラスに表示内容を投射する投影機で構成して、間接的に表示内容を出力することも可能である。
【００９８】
本発明による自動車用ディスプレー装置として、ミラクルガラス及び投影機を用いた場合が図７に示されている。
【００９９】
図３を参照して説明する。
【０１００】
図７は、本発明によるミラクルガラスと投影機で構成された表示部を示した図である。
【０１０１】
上記図７を参照すれば、上記表示部３６０は表示内容を上記ミラクルガラス３６２に投射する投影機２２０と、上記投影機２２０の表示内容を表示するミラクルガラス３６２とを含む。
【０１０２】
上記投影機２２０と上記ミラクルガラス３６２は、それぞれ制御部３２０に接続されて制御される。
【０１０３】
上記ミラクルガラス３６２は、少なくとも自動車のガラスの一部領域に配置され、上記制御部３２０によって透明度が調整される。
【０１０４】
上記投影機２２０は、自動車の天井に装着されるように構成されることができ、上記制御部３２０によって投射光量及び方向を調整することができる。
【０１０５】
これによって、上記投影機２２０は、ミラクルガラス３６２の配置領域を指向するように調整されることができる。
【０１０６】
また、複数のミラクルガラス３６２と投影機２２０を配置して、運転手及び同乗者に上記自動車用ディスプレー装置が獲得した情報を同時に出力したり、分散して出力することによって、各使用者が必要な情報を獲得することができるようにする。
【０１０７】
また、複数のミラクルガラス３６２に一つの投影機２２０が構成される場合、上記投影機２２０に複数の投射ユニットを構成することによって、それぞれのミラクルガラス３６２に上記情報を分散させて出力することができる。
【０１０８】
上記ミラクルガラス３６２は、外部からの光が弱いほど表示内容が鮮明であるため、外部からの光が強い場合、表示内容がまともに認識されないので、上記投影機２２０の投射光量を増やすことによって、上記内容を認識するようにする。
【０１０９】
さらに、上記使用者インターフェース３４０による使用者入力情報または上記センサー部３７０による感知情報に基づいて、上記制御部３２０が上記投影機２２０の投射可否と上記ミラクルガラス３６２の透明転換可否を判断する。
【０１１０】
以下、上記表示部３６０を構成する上記ミラクルガラス３６２の特徴について詳しく説明する。
【０１１１】
上記ミラクルガラス３６２は、液晶分子をカプセルに封入して、液晶膜（シート）に製造した後、この両面に電導膜のある透明なフィルムをそれぞれ附着した特殊ＬＣＤフィルムを含み、電源のオン／オフ（ＯＮ／ＯＦＦ）または動作モードによって透明または不透明になる特徴がある。
【０１１２】
従って、上記ミラクルガラス３６２が不透明状態を保持している場合、投影機２２０を通じて表示内容を投射して認識することができる。
【０１１３】
図８は、本発明による上記ミラクルガラスの特徴を示した図である。
【０１１４】
上記図８を参照すれば、（ａ）上記ミラクルガラスは電源遮断時または不透明モード３６２において、上記液晶分子は配列方向が不規則で、これにより不透明状態になって、外物２１０が見られなくなる。（ｂ）電源印加時または透明モード３６２では、液晶分子の配列方向が規則的であるので、透明状態になって、外物２１０を認識することができるようになる。（ｃ）上記したように、不透明モード３６２になると、自動車内部に別途に設置された投影機２２０を通じて上記ミラクルガラスに表示内容を投射して出力する。
【０１１５】
このように、上記自動車用ディスプレー装置は、多様なディスプレーモジュールを用いて具現することができ、多様な箇所に配置されて運転手と同乗者に效率的に情報を提供し、運転手の視野を確保する。
【０１１６】
以下、自動車用ディスプレー装置の詳細な動作方法について説明する。
【０１１７】
図９は、本発明による自動車用ディスプレー装置のディスプレー方法に対する流れ図である。
【０１１８】
図３を参照して説明する。
【０１１９】
図示したように、自動車に附着された表示部３６０が作動すると、ＤＭＢ及びＧＰＳ受信部３１０、３３０が受信したＤＭＢ放送受信情報、位置情報またはマルチメディア情報が制御部３２０を経って、上記表示部３６０の表示画面を通じて表示される（ｓｔ１）。
【０１２０】
その後、上記表示画面がＬＣＤ以外の平板表示装置やミラクルガラスの場合、上記制御部３２０は使用者インターフェース３４０による使用者の入力またはセンサー部３７０が生成した感知情報によって（ｓｔ６〜ｓｔ７）上記表示部３６０を制御して透明度を調整する（ｓｔ８）。
【０１２１】
この場合、上記表示部３６０の表示画面が平板表示装置の中ＬＣＤで構成される場合、上記ｓｔ１段階後、上記センサー部３７０は、外部からの光を感知して感知情報を上記制御部３２０に伝達し（ｓｔ２）、上記制御部３２０は、上記情報に基づいて、上記表示画面の表示内容が、使用者が認識するのに十分であるか否かを判断して、補助照明のオン／オフ（ＯＮ／ＯＦＦ）を決める（ｓｔ３〜ｓｔ５）。
【０１２２】
その後、上記したｓｔ６〜ｓｔ８段階を経って、上記表示画面の透明度を調整する。
【符号の説明】
【０１２３】
１００  ステアリングホイール  
１１０  自動車用ガラス前面
１２０  補助照明  
２００  歩行者  
２１０  外物  
２２０  投影機
３１０  ＤＭＢ受信部  
３２０  制御部  
３３０  ＧＰＳ受信部  
３４０  使用者インターフェース  
３５０  マルチメディア管理部  
３６０  表示部  
３７０  センサー部  
３６１  平板表示装置  
３６２  ミラクルガラス  
３７２  第１センサー  
３７４  第２センサー  
３７６  第３センサー  
３７８  第４センサー
【図１】
2010532287.tif 000003
【図２】
2010532287.tif 000004
【図３】
2010532287.tif 000005
【図４】
2010532287.tif 000006
【図５】
2010532287.tif 000007
【図６】
2010532287.tif 000008
【図７】
2010532287.tif 000009
【図８】
2010532287.tif 000010
【図９】
2010532287.tif 000011
【国際調査報告】
2010532287.tif 000012
2010532287.tif 000013